(57)【要約】【課題】冷凍システムについて設置可能な計測装置であって、各設置場所に応じた種々の計測手段を容易かつ確実に利用可能とする計測装置を提供する。【解決手段】図計測装置１は、温度センサＴ，湿度センサＨ，圧力センサＰ，電力計Ｗ，マイクロフォンＭ，電磁開閉器Ｒ等の計測手段が接続される入力接点２ａ〜２ｈとして、全ての計測手段に対して共通の入力接点２ａ〜２ｈを備える。計測装置１には、各入力接点２ａ〜２ｈに接続された計測手段の種別を設定するための計測要素切換スイッチ３と、演算回路４が備えられ、演算回路４は、計測要素切換スイッチ３による設定に応じて、各入力接点２ａ〜２ｈに接続された各計測手段からの計測信号を、予め設定された計算式により所定の計測情報に変換する。【選択図】      図１
2004240608.tif 000002
【特許請求の範囲】
【請求項１】
温度，湿度，圧力を含む各計測要素を計測する複数の計測手段を接続する複数の入力接点として、前記各計測手段に対して共通の入力接点を備えるとともに、該入力接点に接続された前記計測手段の種別を選択する計測要素選択手段と、選択された計測手段の種別に応じて、前記入力接点を介して入力される計測信号を所定の計測情報に変換する演算手段とを備えることを特徴とする冷凍システムの計測装置。
【請求項２】
前記計測要素として、さらに音圧レベル、電力量、冷凍機の運転時間のいずれかを含むことを特徴とする請求項１に記載の冷凍システムの計測装置。
【請求項３】
前記演算手段により変換された計測情報を記録する記録装置を内部に備えることを特徴とする請求項１又は２のいずれかに記載の冷凍システムの計測装置。
【請求項４】
前記計測装置は、外部の端末装置を接続可能とする外部出力接点を備え、前記記録装置に記録した計測情報を前記端末装置に出力可能としたことを特徴とする請求項３に記載の冷凍システムの計測装置。
【請求項５】
前記演算手段は、前記計測情報と予め設定された基準値とを比較して、当該比較結果に応じて警告状態か否かを判定する警告状態判定手段を備えることを特徴とする請求項１〜４のいずれかに記載の冷凍システムの計測装置。
【請求項６】
前記計測装置は、警報装置を接続可能とする外部出力接点を備え、前記警告状態判定手段により警告状態と判定された場合に、前記警報装置に制御信号を出力する制御信号出力手段をさらに備えることを特徴とする請求項５に記載の冷凍システムの計測装置。
【請求項７】
前記計測装置は、冷凍機の制御装置を接続可能とする外部出力接点を備え、前記警告状態判定手段により警告状態と判定された場合に、前記制御装置に制御信号を出力する制御信号出力手段をさらに備えることを特徴とする請求項５又は６に記載の冷凍システムの計測装置。
【発明の詳細な説明】
【０００１】
【発明の属する技術分野】
本発明は、冷凍システムの計測装置に関し、特に、冷凍・冷蔵ショーケース、温蔵ショーケース等の温度調節を行う冷凍システムにおける各部の温度，湿度，圧力等の複数の計測要素を計測する装置に関する。
【０００２】
【従来の技術】
従来より、冷凍・冷蔵ショーケース等を所定温度範囲に冷却する冷凍システムでは、ショーケース各部の温度、店舗内の温度や湿度、冷凍サイクル各部の圧力等を計測するための各種センサを設け、これらの各種センサで計測した温度や圧力等の計測情報に基づき、集中制御装置により冷凍サイクルの運転状況の管理を行っている。
各計測情報は、一般には、集中制御装置に対して通信可能に接続されたショーケース又は冷凍機等の制御器から取得しているが、例えば、集中制御装置と各制御器との仕様が異なる場合や制御器の設置されない箇所等については各制御器から計測情報を取得することができないことから、各制御器とは別に設置される計測装置として、複数のセンサによる計測信号に基づき所望の計測情報を取得して、当該計測情報の表示及び集中制御装置への送信を行う計測装置が公知となっている（例えば、特許文献１参照。）。
【０００３】
【特許文献１】
特開平１１−３５１７１２号公報（第３−４頁、図１−２）
【０００４】
図３は、特許文献１に記載の計測装置の概略構成を示すブロック図である。
図３に示すように、特許文献１に記載の計測装置３０は、温度センサーＴや圧力センサーＰ等の計測手段をそれぞれ接続する複数の入力接点３１ａ，３１ｂ，３２ａ，３２ｂが設けられた２系統の入力部３３ａ，３３ｂを備える。該入力部３３ａ，３３ｂは、演算回路３４に接続されており、選択ダイヤル３５ａ，３５ｂの操作に応じて、各入力部３３ａ，３３ｂで読取るセンサの種類が切換えられる。
演算回路３４は、各センサの計測信号を所定の計測情報に変換し、表示部３６に表示する。また、演算回路３４は、変換した計測情報を通信制御回路３７，送受信器３８，シリアル伝送線３９を介して図外の集中制御装置に送信する。
また、警報信号受信部４０を介して機械警報入力接点４１を設け、接点が外れたときに異常として警報信号を表示部３６に表示したり、集中制御装置に送信する。その他、計測装置３０を設置した冷凍システムのアドレスを設定するアドレス設定ダイヤル４２及び表示切換スイッチ４３を備える。
以上のように、特許文献１に記載の計測装置により、各制御器から計測情報が取得できない場合等であっても、ショーケースの運転管理に必要な計測データの表示と、集中制御装置への送信とを、簡易な構成により適切に行うことが可能となっている。
【０００５】
【発明が解決しようとする課題】
しかし、特許文献１に記載の計測装置は、温度センサＴ，圧力センサＰ等、計測手段の種別毎に異なる入力接点を設けたものであった。この場合、計測装置の設置場所等の条件により計測の必要な計測要素が異なるため、設置場所によっては、余分な種類の入力接点ができる一方、必要なセンサに対応する入力接点が不足する等、入力接点の過不足が生ずる可能性があるという問題があった。従って、各計測手段を確実に接続するためには、予め各設置場所において使用する温度センサＴ及び圧力センサＰのそれぞれの接続数を正確に把握して、計測装置の入力接点を設ける必要があった。また、各センサを予め定められた入力接点に正確に接続しなければならず、接続作業が煩雑なものとなっていた。さらに、新たな種類の計測手段を利用する場合には、当該計測手段に対応した入力接点を別途設ける必要があるため、その都度、計測装置自体の変更が必要になるという問題があった。
【０００６】
本発明は、前記課題を解決するためのものであり、冷凍システムについて設置可能な計測装置であって、種々の計測手段を容易かつ確実に利用可能とする計測装置の提供を目的とする。
【０００７】
【課題を解決するための手段】
前記課題を解決するため本発明は、温度，湿度，圧力を含む各計測要素を計測する複数の計測手段を接続する複数の入力接点として、前記各計測手段に対して共通の入力接点を備えるとともに、該入力接点に接続された前記計測手段の種別を選択する計測要素選択手段と、選択された計測手段の種別に応じて、前記入力接点を介して入力される計測信号を所定の計測情報に変換する演算手段とを備えることを特徴とする。これにより、センサ等の各計測手段の種別に応じた入力接点を設ける必要が無くなるため、種々の計測手段が容易かつ確実に利用可能になるとともに、新たな計測要素の追加を容易に行うことができる。
この場合、計測要素として、新たに音圧レベル、電力量、冷凍機の運転時間を含むことにより、種々の計測要素に基づく冷凍機の適切な運転管理を行うことができる。
【０００８】
また、前記演算手段により変換された計測情報を記録する記録装置を内部に備えることにより、集中制御装置との通信を行わない場合であっても、計測装置単体で計測情報の保存・管理が可能となる。
また、前記計測装置は、外部の端末装置を接続可能とする外部出力接点を備え、前記記録装置に記録した計測情報を前記端末装置に出力可能としたので、集中制御装置以外のパーソナルコンピュータ等の端末装置による計測情報の管理が可能となる。
【０００９】
さらに、前記演算手段に、前記計測情報と予め設定された基準値とを比較して、当該比較結果に応じて警告状態か否かを判定する警告状態判定手段を備えることにより、集中制御装置を用いること無く、警告状態の判定を行うことが可能となる。この場合、前記警告状態判定手段の判定結果に応じて、外部出力接点に接続された警報装置又は冷凍機の制御装置に制御信号を出力する制御信号出力手段をさらに備えることにより、集中制御装置を介することなく、緊急時における警報の発生又は一時的な冷凍機の制御を行うことが可能となる。
【００１０】
【発明の実施の形態】
以下、本発明の実施の形態について、図面に基づき説明する。
図１は本発明の冷凍システムの計測装置の一例を示すブロック図、図２は計測装置の操作パネルの一例を示す正面図である。
【００１１】
図１に示すように、本実施の形態に係る計測装置１は、温度センサＴ，圧力センサＰ，湿度センサＨ，電力計Ｗ，マイクロフォンＭ，電磁開閉器Ｒ等の計測手段が接続される入力接点２ａ〜２ｈとして、全ての計測手段に対して共通の入力接点２ａ〜２ｈを備える。各計測手段は、所定の計測要素を計測するものであり、例えば、温度センサーＴはショーケース庫内温度又はショーケースの吹出口温度、圧力センサーＰは冷凍サイクルの高圧部又は低圧部の圧力等、各計測要素が計測可能な位置に設置される。
【００１２】
計測装置１には、各入力接点２ａ〜２ｈに接続された計測手段の種別を設定するための計測要素切換スイッチ３が設けられている。
計測要素切換スイッチ３は演算回路４に接続されており、演算回路４には、各計測要素毎に計測情報を算出するための計算式が予め設定されている。演算回路４は、計測要素切換スイッチ３による設定に応じて、各入力接点２ａ〜２ｈに接続された各計測手段からの計測信号を、前記計算式により所定の計測情報に変換する。また、演算回路４は、各計測要素毎に予め設定された基準値に基づき警告状態か否かを判定する警告状態判定手段を備える。
演算回路４には、変換された計測情報等を記録するメモリ等の記録装置５が接続されている。記録装置５としては、例えば、３分毎７日間程度のデータ保存が可能なものを用いる。
【００１３】
また、従来と同様に、外部の集中制御装置２０との間でシリアル伝送線を介して通信を行う通信制御回路６と送受信器７とが、演算回路４に接続されている。また、外部のパーソナルコンピュータ２１，表示装置２２等を接続可能とする外部出力接点８，９を備える。
さらに、演算回路４には、警報信号受信部１０を介して機械警報入力接点１１が設けられるとともに、制御信号出力部１２を介して外部出力接点１３を設けており、外部出力接点１３に接続された警報装置又は各ショーケースの制御装置等に対し、警報信号等に基づく制御信号が出力される。
【００１４】
以上の構成により、本実施の形態に係る計測装置１では、予めユーザにより入力接点２ａ〜２ｈに接続した計測手段の種別を計測要素切換スイッチ３で設定させると、演算回路４では各設定に応じて入力接点２ａ〜２ｈから入力された計測手段の計測信号を所定の計測情報に変換し、記録装置５内に記録する。
例えば、計測要素切換スイッチ３で温度を選択すると、演算回路４では、温度センサーＴにより計測された信号を温度に変換し、記録装置５内に記録する。
記録装置５内に記録された計測情報は、通信制御回路６及び送受信器７を介して、外部の集中制御装置２０に送信される他、外部出力端子８，９を介してパーソナルコンピュータ２１又は表示装置２２に出力される。
【００１５】
また、演算回路４は、集中制御装置２０から送信された制御信号又は機械警報入力接点１１，警報信号受信部１０を介して入力された警報信号に基づき、制御信号出力部１２を介して外部出力接点１３に接続された警報装置又はショーケースの制御装置に対して制御信号を出力する。この場合の制御信号は、警報装置による警報の発生又は冷凍機の一時的な停止等の制御を行うものである。
さらに、演算回路４は、警告状態判定手段により、各計測信号に基づく計測情報と、予めユーザにより設定された基準値とを比較し、比較の結果、警告状態と判定した場合には、外部の集中制御装置２０，パーソナルコンピュータ２１，表示装置２２に警告信号を送信して表示させるとともに、制御信号出力部１２を介して外部出力接点１３に接続された警報装置又はショーケースの制御装置に対して制御信号を出力する。
【００１６】
ここで、前記入力部２ａ〜２ｈに接続するセンサ等の各計測手段と、演算回路４により変換する計測情報との具体例について説明する。
温度センサＴとしては、例えば、中低温用センサと高温用センサとしてサーミスタを用い、計測信号として抵抗値を出力する。演算回路４は計測要素切換スイッチ３による設定に応じて、各温度センサから入力された抵抗値を温度「℃」に変換する。
温度センサＴの計測結果に基づいて取得した店内環境温度，ケース庫内温度，外気温度の計測情報は、各機器の性能確認に利用される。また、高温用センサの計測結果に基づいて取得した冷凍機吐出温度，ヒータ付機器等の高温部温度の計測情報に基づき、警告判定を行う。
【００１７】
圧力センサＰは、低圧用センサと高圧用センサとして、例えば、計測信号として電圧を出力し、演算回路４は計測要素切換スイッチ３による設定に応じて、各センサから入力された電圧を、低圧又は高圧に応じた圧力「ＭＰａ」に変換する。
圧力センサＰの計測結果に基づいて取得した低圧圧力情報は運転状態が適正か否かの判定に利用される。また、高圧圧力情報に基づき警告判定を行い、高圧カットする前に冷凍機の一時的な停止等の制御を行う。
【００１８】
湿度センサＨは、例えば、計測信号として電圧を出力し、演算回路４は計測要素切換スイッチ３による設定に応じて、湿度センサから入力された電圧を湿度「％」に変換する。
湿度センサＨの計測結果に基づいて取得した店内環境湿度，ケース庫内湿度等の計測情報は、各機器の性能確認に利用される。
【００１９】
マイクロフォンＭについては、演算回路４は計測要素切換スイッチ３による設定に応じて、マイクロフォンＭから入力された電圧を音圧レベル「ｄＢ」に変換する。
マイクロフォンＭの計測結果に基づいて取得した音圧レベルは、各機器による騒音の確認等に利用される。
【００２０】
電力計Ｗは、計測信号としてパルス信号を出力し、演算回路４は計測要素切換スイッチ３の切換えに応じて、電力計Ｗから入力されたパルス信号を電力量「ｋｗｈ」に変換する。
電力計Ｗの計測結果に基づいて取得した電力量は、消費電力量の確認等に利用される。
【００２１】
電磁開閉器Ｒは、計測信号として接点入力信号を出力し、演算回路４は計測要素切換スイッチ３の切換えに応じて、電磁開閉器Ｒから入力された接点入力信号を入力時間「ｍｉｎ／ｈｒ」に変換する。
電磁開閉器Ｒの計測結果に基づいて取得した入力時間は、冷凍機の稼働率等に基づく運転効率の確認等に利用される。
【００２２】
なお、他のセンサ等の計測手段を用いることにより、ブライン液の濃度、冷凍機の振動、ファンの風速等、種々の計測要素の計測・管理を行うことも可能となる。
【００２３】
このように、計測要素切換スイッチ３の切換えに応じて、演算回路４では各計測要素毎に設定された計算式により各計測手段からの入力された計測信号を所定の計測情報へ変換する。
【００２４】
図２は、計測装置１の一部として、ショーケースに取り付けられる操作パネルと計測装置１に接続される表示装置２２の外観の一例を示す図である。
操作パネル１４は、図２に示すように、設定項目を選択するための選択ボタン１５と、設定内容を変更するためのアップボタン１６，ダウンボタン１７と、設定内容を確定するための決定ボタン１８とを有している。この構成により、計測装置１に接続された表示装置２２の表示部２２ａの表示を確認しながら、各入力接点２ａ〜２ｈに接続する計測手段の種別の選択，警告判定の基準値の設定，表示装置２２の表示部２２ａに表示する計測要素の選択，計測装置１が設置されている冷凍システムのアドレス設定等を行うことを可能とする。
このような操作パネル１４，表示装置２２をショーケース等の適当な位置に設けておくことにより、各入力接点２ａ〜２ｈに接続した計測手段の選択等の各種設定を容易に行うことができる。
【００２５】
以上のように、本実施の形態に係る冷凍システムの計測装置１は、温度センサＴ等の計測手段を接続する入力接点２ａ〜２ｈとして、全ての計測手段に共通のものを用いるとともに、計測要素切換スイッチ３により、各計測手段に応じた設定を可能としたので、複数種類の計測手段を接続する場合に計測手段の種別によって入力部の過不足が生じることとが無く、各計測手段を確実に接続可能とするとともに計測手段の接続作業を容易なものとすることができる。さらに、新たな計測手段についても演算回路４の設定を変更することにより容易に利用可能とすることができる。
この場合、計測手段として、温度センサＴ，圧力センサＰ，湿度センサＨに加えて、マイクロフォンＭ，電力計Ｗ，電磁開閉器Ｒの各計測手段を用いることにより、音圧レベル，電力量，冷凍機の運転時間等、各制御器からは取得できない多様な計測情報を取得することができ、より適切な運転状況の管理，品質管理，省エネ管理等を行うことができる。これにより、例えば、マイクロフォンＭにより計測された音圧レベルにより、騒音の管理等を行うことができる。
また、演算回路４により変換された計測情報を記録する記録装置５を備えたので、必ずしも集中制御装置への通信を行うことなく、計測装置１単体でも計測情報の保存・管理を行うことができる。
また、記録装置５に記録した計測情報を外部に出力する外部出力接点８，９を備えたので、集中制御装置２０以外のパーソナルコンピュータ２１等の端末装置により、計測情報の管理等を行うことが容易となる。
また、制御信号出力部１２と外部出力接点１３とを備えたので、外部出力接点１３に接続された警報装置又は冷凍機の制御装置に対し制御信号を出力することが可能となる。従って、集中制御装置からの指示、機械警報入力接点１１を介して入力された警報信号又は警告状態の判定結果に応じて演算回路４から出力された制御信号に基づき、警報の発生又は一時的な冷凍機の停止等の制御を行うことができる。
【００２６】
なお、本実施の形態では、計測手段として温度センサ，圧力センサ，湿度センサ，電力計，マイクロフォン，電磁開閉器を用いることとしているが、これに限られるものではなく、冷凍機の運転状況等に関する情報を計測するためものであれば、他の種々の計測手段を用いることができる。この場合、入力接点を全ての計測手段に共通のものとして構成しているため、演算回路に予め計測情報を算出するための計算式を設定するのみでよく、容易に新たな計測手段の追加を行うことができる。
また、計測装置に対して外部出力接点を介して表示装置を接続するものとして説明しているが、これに限られるものではなく、計測装置に表示部を備えた構成としてもよい。
また、制御信号出力部及び外部出力接点を介して接続される警報装置としても、警報音の発生，音声によるアナウンスガイドを行うもの等、種々のものを用いることができる。
【００２７】
【発明の効果】
以上、説明したように、本発明の計測装置によれば、次のような効果を奏する。
（１）複数種類の計測要素を計測する複数の計測手段に共通の入力部を設けたので、種々の計測手段を容易かつ確実に利用可能とすることができる。また、新たな計測手段を用いる場合にも、演算回路の設定の変更により容易に対応することが可能となる。
（２）この場合、計測要素として、冷凍機の音圧レベル，電力量，冷凍機の運転時間等を含めることにより、騒音，消費電力量及び運転効率等に基づく適切な運転状況の管理を行うことが可能となる。
（３）また、計測装置内部に計測情報を記録する記録装置を備えることにより、計測装置単体でも所定期間内の計測情報の保存・管理を行うことが可能となる。
（４）また、記録装置内に記録された計測情報を、外部出力接点に接続された端末装置に出力可能とすることにより、パーソナルコンピュータ等を用いた計測情報の管理を容易に行うことができる。
（５）また、演算手段に、計測情報に基づく警告状態判定手段を備えるとともに、当該警告状態判定手段の判定結果に応じて、制御信号を出力する手段をさらに備えることにより、緊急時等に集中制御装置を介すること無く、外部出力接点に接続された警報装置による警報の発生、又は冷凍機の一時的な停止等の制御を行うことができる。
【図面の簡単な説明】
【図１】本発明の一実施の形態に係る計測装置の概略構成を示すブロック図である。
【図２】計測装置の一部を構成する操作パネル及び表示装置の一例を示す正面図である。
【図３】従来の計測装置の概略構成を示すブロック図である。
【符号の説明】
１  計測装置
２ａ〜２ｈ  入力接点
３  計測要素切換スイッチ
４  演算回路
５  記録装置
６  通信制御回路
７  送受信器
８  外部出力接点
９  外部出力接点
１０  警報信号受信部
１１  機械警報入力接点
１２  制御信号出力部
１３  外部出力接点
１４  操作パネル
１５  選択ボタン
１６  アップボタン
１７  ダウンボタン
１８  決定ボタン
２０  集中制御装置
２１  パーソナルコンピュータ
２２  表示装置
２２ａ  表示部
Ｔ  温度センサ
Ｐ  圧力センサ
Ｈ  湿度センサ
Ｗ  電力計
Ｍ  マイクロフォン
Ｒ  電磁開閉器
【図１】
2004240608.tif 000003
【図２】
2004240608.tif 000004
【図３】
2004240608.tif 000005